(57)【要約】【課題】載置したトレッドゴムを剥がしやすくして、ドラムに貼り付ける際の蛇行を防止する。【解決手段】押出機から押し出され、ドラム８に貼り付けてタイヤのトレッド部を形成するトレッドゴム３を載置する。少なくともトレッドゴム３をドラム８に貼り付ける貼付開始領域９に、トレッドゴム３と接触しない複数の非接触領域７を形成する。【選択図】図１
2018103398.tif 000002
【特許請求の範囲】
【請求項１】
押出機から押し出され、ドラムに貼り付けてタイヤのトレッド部を形成するトレッドゴムを載置するためのトレッド用トレイであって、
少なくとも前記トレッドゴムを前記ドラムに貼り付ける貼付開始領域に、前記トレッドゴムと接触しない複数の非接触領域を形成したことを特徴とするトレッド用トレイ。
【請求項２】
前記貼付開始領域に形成される穴を備え、
前記穴には、前記トレッドゴムを押し上げ可能な突出ピンが配置されていることを特徴とする請求項１に記載のトレッド用トレイ。
【請求項３】
前記非接触領域は、前記トレッドゴムの幅方向の両側部に形成されていることを特徴とする請求項１又は２に記載のトレッド用トレイ。
【請求項４】
前記非接触領域は、前記貼付開始領域のみに形成されていることを特徴とする請求項１から３のいずれか１項に記載のトレッド用トレイ。
【請求項５】
前記非接触領域は、凹部で構成されていることを特徴とする請求項１から４のいずれか１項に記載のトレッド用トレイ。
【請求項６】
前記突出ピンが配置される穴は、前記貼付開始領域に形成される非接触領域のいずれかで構成されていることを特徴とする請求項２に記載のトレッド用トレイ。
【請求項７】
前記突出ピンは、少なくともトレッドゴムの両側部を押し上げ可能な２つで構成されていることを特徴とする請求項２又は６に記載のトレッド用トレイ。
【発明の詳細な説明】
【技術分野】
【０００１】
本発明は、トレッド用トレイに関するものである。
【背景技術】
【０００２】
従来、トレッド用トレイとして、平板の中央部に複数のボールベアリングを設けたものが公知である（例えば、特許文献１参照）。このトレッド用トレイでは、押出機から押し出されたトレッドゴムの先端側を面接触状態で支持すると共に、中央部をボールベアリングのボールによって点接触状態で支持する。
【０００３】
しかしながら、前記従来のトレッド用トレイでは、トレッドゴムの先端側がトレッド用トレイの上面に面接触した状態で支持されているため、この先端側で過密着状態となる。このため、トレッドゴムをドラムに貼り付ける際、剥がしにくいという問題がある。また、剥がした際に蛇行してしまい、そのままドラムに貼り付けられる恐れがある。
【先行技術文献】
【特許文献】
【０００４】
【特許文献１】特開２０１５−７７７６０号公報
【発明の概要】
【発明が解決しようとする課題】
【０００５】
本発明は、載置したトレッドゴムを剥がしやすくして、ドラムに貼り付ける際の蛇行を防止できるトレッド用トレイを提供することを課題とする。
【課題を解決するための手段】
【０００６】
本発明は、前記課題を解決するための手段として、
押出機から押し出され、ドラムに貼り付けてタイヤのトレッド部を形成するトレッドゴムを載置するためのトレッド用トレイであって、
少なくとも前記トレッドゴムを前記ドラムに貼り付ける貼付開始領域に、前記トレッドゴムと接触しない複数の非接触領域を形成したことを特徴とするトレッド用トレイを提供する。
【０００７】
この構成により、トレッドゴムを剥がしやすくなり、ドラムへとスムーズに貼り付けることができる。このため、トレッドゴムをドラムに巻き付けて行く際、蛇行する等の不具合を発生させることがない。
【０００８】
前記貼付開始領域に形成される穴を備え、
前記穴には、前記トレッドゴムを押し上げ可能な突出ピンが配置されているのが好ましい。
【０００９】
この構成により、トレッドゴムをより一層簡単に剥がしやすくなる。
【００１０】
前記非接触領域は、前記トレッドゴムの幅方向の両側部に形成されているのが好ましい。
【００１１】
この構成により、ショルダー部に相当する部分の密着度を抑えることができる。
【００１２】
前記非接触領域は、前記貼付開始領域のみに形成されていればよい。
【００１３】
この構成により、必要最小限の範囲に非接触領域を形成することができ、全体の剛性低下を抑えることができる。
【００１４】
前記非接触領域は、凹部で構成されているのが好ましい。
【００１５】
この構成により、全体の剛性低下を抑えつつ、多くの非接触領域を形成することができる。
【００１６】
前記突出ピンが配置される穴は、前記貼付開始領域に形成される非接触領域のいずれかで構成されていればよい。
【００１７】
前記突出ピンは、少なくともトレッドゴムの両側部を押し上げ可能な２つで構成されているのが好ましい。
【００１８】
この構成により、トレッドゴムを安定した状態で剥がすことができる。
【発明の効果】
【００１９】
本発明によれば、少なくとも貼付開始領域に非接触領域を形成するようにしたので、剥がしやすく、ドラムに貼り付けて行く際に蛇行等の問題も発生しない。
【図面の簡単な説明】
【００２０】
【図１】本実施形態に係るトレッド用トレイの平面図である。
【図２】図１に示すトレッド用トレイ、ドラム及び押出機を示す概略正面図である。
【図３】他の実施形態に係るトレッド用トレイの平面図である。
【発明を実施するための形態】
【００２１】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００２２】
図１は、本実施形態に係るトレッド用トレイ１を示す。
【００２３】
トレッド用トレイ１はアルミ合金を平板状に形成したもので、図２に示す押出機２から押し出される平板状のトレッドゴム３よりも幅寸法及び長さ寸法が大きく設定されている。トレッド用トレイ１の周辺領域４を除く中央領域５には、幅方向及び長手方向の複数箇所に凹部６が形成されている（図１では、２×６＝１２箇所としているが、この数に限定されるものではない。）。各凹部６は平面視円形状で、トレッド用トレイ１の上面の中央領域５に載置されたトレッドゴム３とは直接接触しない非接触領域７を構成している。また、長手方向一端側の凹部６は、載置したトレッドゴム３をドラム８に貼り付ける際の貼付開始領域９に位置している。貼付開始領域９には、凹部６よりもさらに先端側の中央部に貫通孔１０が形成されている。貫通孔１０には突出ピン１１が配置されている。突出ピン１１は、シリンダ１２の駆動により昇降可能となっている。
【００２４】
前記構成のトレッド用トレイ１は次のようにして使用する。
【００２５】
押出機２から押し出された帯状のトレッドゴム３をトレッド用トレイ１に載置する。この場合、トレッドゴム３の先端部分を、トレッド用トレイ１の貼付開始領域９に接触させる。そして、トレッドゴム３の全体を、トレッド用トレイ１の中央領域５に載置する。トレッド用トレイ１には凹部６が形成されているだけであり、全体として十分な体積及び剛性を有する。このため、高温のトレッドゴム３を載置することによる熱影響を受けにくく変形しないため、安定した載置状態を提供できる。
【００２６】
トレッド用トレイ１に載置した状態のトレッドゴム３では、下面には非接触領域７である凹部６が位置しており、接触するのは凹部以外の領域のみとなる。したがって、トレッドゴム３がトレッド用トレイ１の上面に直接接触する面積を抑えることができる。これにより、トレッドゴム３がトレッド用トレイ１の上面に密着することを防止可能となる。しかも、凹部６はトレッドゴム３の下面に対してほぼ均等に配置される。このため、トレッドゴム３とトレッド用トレイ１の上面とが部分的に密着度が高くなって、一部が剥がれにくくなるといった不具合も発生しない。
【００２７】
トレッド用トレイ１の上面に載置されたトレッドゴム３は、次のようにしてドラム８に巻き付ける。
【００２８】
トレッド用トレイ１をドラム８の下方に位置決めする。この状態で、シリンダ１２を駆動し、突出ピン１１を上動させる。これにより、貼付開始領域９に接触しているトレッドゴム３の先端部分が押し上げられる。貼付開始領域９にも凹部６が位置しているので、突出ピン１１の突出動作によってトレッドゴム３はトレッド用トレイ１の上面から簡単に剥がすことができる。剥がされたトレッドゴム３の先端部分は、ドラム８の外周面に貼り付けられる。
【００２９】
トレッドゴム３の先端部分がドラム８の外周面に貼り付けられれば、ドラム８の回転を回転させながら、トレッド用トレイ１を前進させる。これにより、トレッド用トレイ１に載置されたトレッドゴム３が先端側から順に剥がされてドラム８へと貼り付けられる。前述のように、凹部６はトレッド用トレイ１の中央領域５にほぼ均等に配置されており、トレッドゴム３とトレッド用トレイ１の上面との間には、部分的に密着度を高められたところはない。このため、トレッドゴム３をスムーズに剥がしながらドラム８へと貼り付けることができる。したがって、一連の貼付作業中にトレッドゴム３が蛇行することがなく、ドラム８の外周面への貼付状態を均一なものとすることができる。この場合、剥がしたトレッドゴム３をドラム側へと案内するローラやドラム８の外周面へと押し付けるローラ等を設けるようにすると、より一層、スムーズな貼付作業を実現でき、貼り付けたトレッドゴム３の均一化を達成することができる。このようにして、タイヤのトレッド部及びショルダー部となるトレッドが完成する。
【００３０】
前記構成のトレッド用トレイ１によれば、次のような効果を奏する。
（１）トレッド用トレイ１は平板状で、上面の中央領域５に凹部６を形成しただけであるので、容易に加工でき、安価に製作可能である。
（２）トレッド用トレイ１には凹部６を形成しただけであるので、十分な強度を有し、長期に亘って使用できる。
（３）トレッド用トレイ１の貼付開始領域９に突出ピン１１を設けるようにしたので、ドラム８への貼付をスムーズに開始できる。特に、貼付開始領域９に形成した凹部６により、トレッド用トレイ１からトレッドゴム３を容易に剥がすことができる。
（４）トレッド用トレイ１の中央領域５の全体に亘って均等に凹部６を形成しているので、トレッドゴム３のドラム８への貼付開始から貼付終了までスムーズにトレッド用トレイ１の上面からトレッドゴム３を剥がすことができる。
【００３１】
なお、本発明は、前記実施形態に記載された構成に限定されるものではなく、種々の変更が可能である。
【００３２】
前記実施形態では、トレッド用トレイ１に平面視円形状の凹部６を形成するようにしたが、平面視の形状はこれに限らず、三角形、四角形等の多角形等、その形態は問わない。また、凹部６に限らず、トレッド用トレイ１の上下面に貫通した穴で構成するようにしてもよい。穴であっても凹部６と同様に簡単に加工することができる。但し、凹部６であれば、トレッド用トレイ１の強度低下を抑えることができ、変形等の不具合が発生することもない。
【００３３】
前記実施形態では、トレッド用トレイ１の中央領域５の全体に凹部６を形成するようにしたが、図３に示すように、貼付開始領域９のみに形成するようにしてもよい。貼付開始領域以外の領域では、トレッド用トレイ１の上面からトレッドゴム３を剥がしにくくなるものの、先端部分がドラム８に貼り付けられて引っ張られるので、蛇行等の不具合を発生させることもない。これによれば、トレッド用トレイ１の剛性の低下を必要最小限に抑えることができる。
【００３４】
前記実施形態では、トレッド用トレイ１の中央領域５の全体に凹部６を形成するようにしたが、両側部にのみ形成するようにしてもよい。すなわち、トレッドゴム３を貼り付けて得られるトレッドでは、中央部分のトレッド部と、両側部分のショルダー部とが形成される。トレッドゴム３のうち、ショルダー部となる部分が接触する領域に凹部６が形成されている。これによれば、トレッドゴム３をドラム８に貼り付けて行く際、最も蛇行の影響を受ける部分を剥がれやすくすることができる。
【符号の説明】
【００３５】
１…トレッド用トレイ
２…押出機
３…トレッドゴム
４…周辺領域
５…中央領域
６…凹部
７…非接触領域
８…ドラム
９…貼付開始領域
１０…貫通孔
１１…突出ピン
１２…シリンダ
【図１】
2018103398.tif 000003
【図２】
2018103398.tif 000004
【図３】
2018103398.tif 000005